(57)【要約】【課題】  使用者が浴槽内で無理な力をいれて踏ん張ったりすることなく全身の力を抜いてリラックスすることができるものでありながら、使用時に浴槽に設置するときの取扱い性や、使用しないときに保管するときの取扱い性、持ち運びの際の取扱い性などが改善された入浴姿勢保持具を提供する。【解決手段】  浴槽底面に載置される可撓性を備えたマット１０と、このマットの表面に具備された突起群４０でなる滑り止め手段と、マット１０の裏面に具備されてそのマットを浴槽底面６１に固定するための吸盤群５０でなる吸着手段と、臀部７１をマット１０に乗せかけた使用者７０の下肢７２をもたせ掛けることのできる鞍体３０とを備える。鞍体３０とマット１０の一端部とを連結する。【選択図】        図１
2008259547.tif 000002
【特許請求の範囲】
【請求項１】
浴槽底面に載置されて表面に使用者の臀部を乗せ掛けることのできる可撓性を備えたマットと、このマットの表面に具備された滑り止め手段と、上記マットに具備されてそのマットを浴槽底面に固定する吸着手段と、臀部を上記マットに乗せかけた使用者の下肢をもたせ掛けることのできる鞍体と、を備えることを特徴とする入浴姿勢保持具。
【請求項２】
上記鞍体が中空に形成されて、その鞍体の内部空間が、畳んだ上記マットを収納可能なマット収納室として形成されていると共に、その鞍体の底面に上記マットを出入れするための開口が形成され、かつ、その開口を開閉するカバー体を有する請求項１に記載した入浴姿勢保持具。
【請求項３】
上記カバー体が上記鞍体の底面の上記開口の口縁に樹脂ヒンジ部を介して開閉動可能に一体に連設されている請求項２に記載した入浴姿勢保持具。
【請求項４】
上記鞍体が側面視山形に形成されていて、上記マット収納室の内部で上記鞍体に一端部を着脱可能な上記マットが、その鞍体の前端に上記開口に通じる形態に形成されたマット引出し口から引き出し可能である請求項２に記載した入浴姿勢保持具。
【請求項５】
上記鞍体が側面視山形に形成されていて、上記マット収納室の内部で上記鞍体に一端部が固定された上記マットが、その鞍体の前端に上記開口に通じる形態に形成されたマット引出し口から引き出し可能である請求項３に記載した入浴姿勢保持具。
【請求項６】
上記吸着手段が、上記マットの裏面側に一体成形された多数の吸盤からなる吸盤群である請求項１に記載した入浴姿勢保持具。
【請求項７】
上記滑り止め手段が、上記マットの表面側に一体成形された多数の突起からなる突起群である請求項１に記載した入浴姿勢保持具。
【請求項８】
浴槽底面に載置した上記マットが浴槽底面に押し付けられたときに、その浴槽底面に突き当たってマットと浴槽底面との間に水の流通空間を形成する突部がそのマットの裏面側に一体成形されていることに加えて、上記マットに水の流通孔が開設されている請求項１に記載した入浴姿勢保持具。
【発明の詳細な説明】
【技術分野】
【０００１】
本発明は入浴姿勢保持具、詳しくは、入浴中の使用者が力を入れて踏ん張ったりすることなく無理なく楽にその入浴姿勢を保つことのできる入浴イスに関する。特に詳しくは、使用時に浴槽に設置するときの取扱い性が改善され、使用しないときに浴槽から取り出して保管するときの取扱い性も改善されている入浴姿勢保持具に関する。
【背景技術】
【０００２】
従来、入浴イスとして、浴槽の底面に設置されて入浴中の使用者の臀部付近を支える座板と、その使用者の正面に位置している浴槽の内側面との間に筒状の脚部を介在させる構成を備えるものが提案されていた（たとえば、特許文献１参照）。この特許文献１によって提案されている入浴イスによると、入浴中の使用者がその臀部付近を座板に乗せ掛けると、上記脚部が浴槽の内側面に突張ってその使用者の入浴姿勢が着座した姿勢に保たれるとされている。また、入洛中の使用者の体重が座板によって支えられるために、使用者は背中を浴槽の内側面の他の箇所に凭せ掛けておくだけで、無理な力をいれて踏ん張ったりすることなく、全身の力を抜いてリラックスすることができるという利点があるとされている。したがって、このような入浴イスは、健常者が長時間の入浴を楽しみたいというときだけに限らず、身障者が入浴するときの介護用としても有用であると云える。
【特許文献１】特許第３７９３９２５号公報
【０００３】
しかしながら、特許文献１によって提案されている入浴イスは、使用状態では、座板と浴槽の内側面との間に長い筒状の脚部が介在されるので、その全体形状がどうしても大形になりやすい。そのため、浴槽に設置するときの取扱い性、使用しないときに浴槽から取り出して保管するときの取扱い性、持ち運びの際の取扱い性などが悪いという不都合があった。また、浴槽の中で脚部が入浴中の使用者の邪魔になるといった不都合もあった。
【発明の開示】
【発明が解決しようとする課題】
【０００４】
本発明は以上の状況の下でなされたものである。すなわち、本発明は、使用者が浴槽内で無理な力をいれて踏ん張ったりすることなく全身の力を抜いてリラックスすることができるものでありながら、使用時に浴槽に設置するときの取扱い性や使用しないときに浴槽から取り出して保管するときの取扱い性、持ち運びの際の取扱い性などが改善されている入浴姿勢保持具を提供することを目的とする。
【０００５】
また、本発明は、上掲の特許文献１に記載されてる入浴イスの代わりに使用することのできる入浴姿勢保持具を提供することを目的とする。
【課題を解決するための手段】
【０００６】
本発明に係る入浴姿勢保持具は、浴槽底面に載置されて表面に使用者の臀部を乗せ掛けることのできる可撓性を備えたマットと、このマットの表面に具備された滑り止め手段と、上記マットに具備されてそのマットを浴槽底面に固定する吸着手段と、臀部を上記マットに乗せかけた使用者の下肢をもたせ掛けることのできる鞍体と、を備えている。
【０００７】
この構成を採用したことにより、この発明に係る入浴姿勢保持具によれば、使用者が、浴槽底面に載置したマットの上に臀部を乗せ掛けてその下肢（両足）を鞍体ちもたせ掛けるという姿勢をとったときに、臀部が滑り止め手段によってマット上で滑らないように保持され、かつ、マットも吸着手段によって浴槽底面の定位置に滑らないように保持される。そのため、使用者は、浴槽内で無理な力をいれて踏ん張ったりすることなく全身の力を抜いてリラックスすることができる。また、マットが可撓性を備えているために、使用しないときには、そのマットをロール巻き状などの形に折り畳んでコンパクトな形にして持ち運んだり場所をとらずに保管したりすることが可能である。また、使用するときには、マットや鞍体を浴槽底面に載置するだけでよいので、浴槽に設置するときの取扱い性にも優れている。
【０００８】
本発明では、上記鞍体が中空に形成されて、その鞍体の内部空間が、畳んだ上記マットを収納可能なマット収納室として形成されていると共に、その鞍体の底面に上記マットを出入れするための開口が形成され、かつ、その開口を開閉するカバー体を有することが望ましい。
【０００９】
この構成を採用すると、使用しないときには、畳んだマットを鞍体のマット収納室に収納して保管することができるため、保管のためのスペースが鞍体を置くことのできる狭いスペースで済むという利点がある。また、マット収納室にマットを収納した鞍体の開口をカバー体で閉じておくと、鞍体からマットが脱落しなくいために、持ち運び時などの取扱い性が向上する。
【００１０】
本発明では、上記カバー体が上記鞍体の底面の上記開口の口縁に樹脂ヒンジ部を介して開閉動可能に一体に連設されていることが望ましい。
【００１１】
この構成を採用すると、カバー体が鞍体から分離されないために、カバー体を紛失したりすることがなくなる。
【００１２】
本発明では、上記鞍体が側面視山形に形成されていて、上記マット収納室の内部で上記鞍体に一端部を着脱可能な上記マットが、その鞍体の前端に上記開口に通じる形態に形成されたマット引出し口から引き出し可能であることが望ましい。これによれば、マットが消耗して使用することができなくなったときに、マットだけを交換して元の鞍体と組み合わせて使用することができるために経済的である。また、マットの一端部をマット収納室の内部で鞍体に装着しておくことによって、マットと鞍体とが一体化される。そして、マットと鞍体とが一体化されていると、使用時に鞍体が動いてマットから離れて利用しずらくなるという不都合がなくなるだけでなく、鞍体とマットとを別々に保管したり別々に取り扱う必要がなくなるという利点がある。さらに、マットが鞍体の前端に形成されているマット引出し口から引き出されるので、使用時に鞍体がマットに乗り掛かってぐらつくという事態が生じなくなり、そのことが使用快適性を高めることに役立つ。
【００１３】
本発明では、上記吸着手段が、上記マットの裏面側に一体成形された多数の吸盤からなる吸盤群であることが望ましい。この構成を採用すると、多数の吸盤によってマットが浴槽底面に確実に固定される。また、吸盤群がマットにクッション性を付与することにも役立って使用快適性が高まる。
【００１４】
本発明では、上記滑り止め手段が、上記マットの表面側に一体成形された多数の突起からなる突起群である、という構成を採用することが可能である。この構成を採用すると、滑り止め手段を有するマットを特別な技術を必要とすることなく容易に成形することが可能になる。また、突起群が使用者の臀部をグリップする作用を発揮してマット上で臀部が滑らなくなくので、このことによって使用者にとっては全身の力を抜いてリラックスしやすくなる。
【００１５】
本発明では、  浴槽底面に載置した上記マットが浴槽底面に押し付けられたときに、その浴槽底面に突き当たってマットと浴槽底面との間に水の流通空間を形成する突部がそのマットの裏面側に一体成形されていることに加えて、上記マットに水の流通孔が開設されていることが望ましい。この構成であると、浴槽底面に載置されているマットと浴槽底面との間の流通空間を水が流通するだけでなく、マットの流通孔を通じて上記流通空間とマットの表面側との間で水が流通する。そのために、マットを浴槽内に放置したまま排水しても、排水後にマットと浴槽底面との間に水が残留して不衛生になるという事態が起こらない。
【発明の効果】
【００１６】
本発明に係る入浴姿勢保持具によれば、浴槽底面に載置したマットに臀部を乗せ掛けた使用者がその下肢を鞍体にもたせ掛けるという姿勢が保持されるようになるので、使用者が無理な力を入れて踏ん張ったりすることなくリラックスした状態で入浴を楽しむことができる。そのため、健常者にとっては勿論、特に身障者やその介護者にとっても使用感や使い勝手に優れた入浴姿勢保持具を提供することが可能になる。とりわけ、マットに吸着手段や滑り止め手段を設けておくと、マットが浴槽底面で滑って動いたり、使用者の臀部がマットの上で滑って動いたりすることがなくなるために、使用者は安心してリラックスした状態で長時間の入浴を楽しむことができるようになる。
【００１７】
また、本発明の入浴姿勢保持具は、吸着手段や滑り止め手段を有して畳むことのできるマットとそのマットの収納室を備える鞍体とによって構成されていることに加え、マットの一端部をマット収納室の内部で鞍体に着脱可能にしたりすることが可能である。そのために、マットを消耗品としてマットだけを交換することが可能になるという利便性があり、さらに、使用時に浴槽に設置するときの取扱い性や使用しないときに浴槽から取り出して保管するときの取扱い性、持ち運びの際の取扱い性などが冒頭に掲げた特許文献１によって提案されているものに比べて大幅に改善されるという利点もある。
【発明を実施するための最良の形態】
【００１８】
図１は本発明に係る入浴姿勢保持具Ａの概略斜視図である。図２は入浴姿勢保持具Ａの概略縦断側面図である。図３は入浴姿勢保持具Ａの他の状態での一部省略した概略縦断側面図である。図４はマット１０の表面側の形状ないし構造を示した平面図である。図５はマット１０の裏面側の形状ないし構造を示した平面図である。図６はマットの一部を破断して示した側面図である。図７は入浴姿勢保持具Ａの概略側面図である。図８は入浴姿勢保持具Ａの使用状態を示した説明図である。
【００１９】
図１のように、入浴姿勢保持具Ａは、可撓性を有してロール状に巻いてコンパクトに畳むことのできる矩形のマット１０と、側面視山形の鞍体３０とを備えている。マット１０の適切な大きさは、その横幅が２５０〜３００ｍｍ程度、その縦幅を３００〜４００ｍｍ程度であるけれども、必要に応じて横幅及び縦幅を短くしたり長くしたりすることも可能である。このマット１０は柔軟性ないし可撓性を備えたエチレン系エラストマー樹脂で成形されている。このマット１０は、トルマリンやラジウムなどの薬石と称される天然石、鉱石を混入させたものでもよく、そのようなマット１０を採用すると、使用者の身体に薬石による効能を与えることができる。
【００２０】
図４又は図５に示したように、マット１０にはその表面側に一体成形された多数の突起４１…でなる滑り止め手段としての突起群４０が備わっているのに対し、その裏面側に一体成形された多数の吸盤５１…でなる吸着手段としての吸盤群５０が備わっている。図４のように、突起群４０を構成している突起４１は、図例では縦横に千鳥配列されてマット１０の表面の全体に略一様に配列されていて、その断面形状は図６に示したように略半球状を呈している。また、突起群４０を構成している突起４１は、横方向ピッチ及び縦方向ピッチが１０〜２０ｍｍ程度に定められている。柔軟なエチレン系エラストマー樹脂でなるマット１０に同一樹脂で一体成形されている突起４１はそれ自体が柔軟性を有している。吸盤群５０を構成している吸盤５１は、図例では縦横に千鳥配列されてマット１０の裏面の全体に略一様に配列されている。また、吸盤群５０を構成している吸盤５１は、横方向ピッチ及び縦方向ピッチが１０〜２０ｍｍ程度に定められている。柔軟なエチレン系エラストマー樹脂でなるマット１０に同一樹脂で一体成形されている吸盤５１はそれ自体が柔軟性を有している。
【００２１】
さらに、マット１０には、図６に示したように、その裏面側の適所に、吸盤５１よりも背低の突部５２が一体に成形されている。これらの突部５２は、マット１０を浴槽底面に載置して押し付けたときに、その浴槽底面に突き当たってマット１０と浴槽底面との間に水の流通空間を形成することに役立つ。これに加えて、マット１０には、図６に示したように、その適所に水の流通孔５３も開設されている。
【００２２】
図２又は図３に示したように、鞍体３０は、ゆるやかに傾斜してやゝ円弧状に膨らみ出た前壁３１と、その前壁３１の左右の端部にそれぞれ連設されている左右の側壁３２，３２と、左右の側壁３２，３２間で前壁３１の上端部から下向きに延び出た背壁３３とを一体に備えた中空の樹脂成形体でなる。前壁３１はその内面側に格子形の補強リブ３４を有してその強度が高められている。図３のように、前壁３１の内面側にボス３５が設けられている。このボス３５には、上記したマット１０の一端部が板片状の押え具３６と取付けボルト３７とを介して連結されている。図３に示した押え具３６と取付けボルト３７とによるマット１０の取付け手段は、取付けボルト３７と押え具３６とを取り外すことによってマット１０を鞍体３０から取り外すことができる。そのため、この取付け手段は、マット１０の一端を鞍体３０に着脱可能に取り付けるための手段の一例であると云える。
【００２３】
上記したところから判るように、鞍体３０は中空に形成されていて、その下面が開放された開口３８を形成している。この実施形態では、この開口３８を開閉するためのカバー体３９を、上記した背壁３３の下端に樹脂ヒンジ部Ｈを介して一体に連設してある。この開口３８は、ロール状に巻いてコンパクトに畳んだマット１０を、鞍体３０の内部空間によって形成されているマット収納室Ｒに出入れすることに使われる。また、鞍体３０の前端、具体的には前壁３１の下端に上記開口３８に通じる形態に形成された横長のスリット状のマット引出し口４５が形成されている。したがって、図７のように、押え具３６と取付けボルト３７とを用いて鞍体３０のボス３５に一端部が取り付けられているマット１０は、マット引出し口４５を経て鞍体３０の前方へ引き出すことが可能である。
【００２４】
以上のように構成されている入浴姿勢保持具Ａの使用状態を次に説明する。
【００２５】
図８において、６０は浴槽、７０は入浴者（使用者）を示している。入浴姿勢保持具Ａは、そのマット１０が浴槽底面６１に載置される。浴槽底面６１にマット１０を載置すると、そのマット１０の裏面側の吸盤群５０（図５参照）の個々の吸盤５１が、マット１０の自重により又は人為的な押し付け力により浴槽底面６１に押し付けられて吸着する。こうして吸盤５１が浴槽底面６１に吸着していると、マット１０が浴槽底面６１の定位置に動かないように固定された状態になる。
【００２６】
鞍体３０も浴槽底面６１の上に載置される。鞍体３０とマット１０とが図３で説明したように連結されていると、上記のように浴槽底面６１の定位置に動かないように固定されているマット１０によって鞍体３０も浴槽底面６１の上に動かないように定置された状態になる。
【００２７】
図８のように、入浴者７０は、その臀部７１をマット１０の上に乗せ掛け、その下肢７２を鞍体３０の上にもたせ掛けることができる。入浴者７０がそのような姿勢をとると、臀部７１がマット１０の表面側の突起群４０の上に乗るので、その突起群４０が臀部７１を動かないようにグリップする作用を発揮する。そのため、入浴者７０は、臀部７１をマット１０の上に乗せ掛け、下肢７２を鞍体３０の上にもたせ掛けたまま、浴槽内で無理な力をいれて踏ん張ったりすることなく全身の力を抜いてリラックスすることができ、長時間の入浴を楽に楽しむことができる。この効果は、吸盤群５０がクッション性を発揮することによっていっそう顕著に発揮される。したがって、健常者に限らず、特に身障者やその介護者にとっても得られるので、健常者、身障者及びその介護者にとって使用感や使い勝手に優れたものになる。
【００２８】
次に、入浴姿勢保持具Ａを使用しないときには、たとえば図２に示したように、マット１０をロール巻き状などの形に折り畳み、それを鞍体３０のマット収納室Ｒに収納し、かつ、カバー体３９を閉じておくことにより、場所をとらずに保管することが可能になる。特に、マット１０を収納した鞍体３０の開口３８をカバー体３９で閉じておくと、保管のためのスペースが鞍体３０を置くことのできる狭いスペースで済むという利点があるほか、鞍体からマットが脱落することがなくなる。
【００２９】
この実施形態では、マット１０の突部５２が、浴槽底面６１に載置したマット１０と浴槽底面６１との間に水の流通空間を形成し、かつ、マット１０に水の流通孔５３が開設されている。このため、浴槽底面６１に載置されているマット６０と浴槽底面６１との間の流通空間を水が流通するだけでなく、マット１０の流通孔５３を通じて上記流通空間とマット１０の表面側との間で水が流通する。したがって、マット１０を浴槽内に放置したまま排水しても、排水後にマット１０と浴槽底面６１との間に水が残留して不衛生になるという事態が起こらない。
【００３０】
さらにこの実施形態では、マット１０を着脱可能な取付け手段としての取付けボルト３７と押え具３６とを用いて鞍体３０に連結する構成を採用しているので、マット１０を消耗品として取り扱うことが可能である。したがって、マット１０が破れたり劣化したりしたときには、マット１０だけを取り換えることが可能であるという利点がある。
【図面の簡単な説明】
【００３１】
【図１】本発明に係る入浴姿勢保持具の概略斜視図である。
【図２】入浴姿勢保持具の概略縦断側面図である。
【図３】入浴姿勢保持具の他の状態での一部省略した概略縦断側面図である。
【図４】マットの表面側の形状ないし構造を示した平面図である。
【図５】マットの裏面側の形状ないし構造を示した平面図である。
【図６】マットの一部を破断して示した側面図である。
【図７】入浴姿勢保持具の概略側面図である。
【図８】入浴姿勢保持具の使用状態を示した説明図である。
【符号の説明】
【００３２】
１０  マット
３０  鞍体
３８  開口
３９  カバー体
４０  突起群（滑り止め手段）
４１  突起
４５  マット引出し口
５０  吸盤群（吸着手段）
５１  吸盤
５２  突部
５３  流通孔
６１  浴槽底面
７０  使用者
７１  使用者の臀部
７２  使用者の下肢
Ａ  入浴姿勢保持具
Ｈ  樹脂ヒンジ部
Ｒ  マット収納室
【図１】
2008259547.tif 000003
【図２】
2008259547.tif 000004
【図３】
2008259547.tif 000005
【図４】
2008259547.tif 000006
【図５】
2008259547.tif 000007
【図６】
2008259547.tif 000008
【図７】
2008259547.tif 000009
【図８】
2008259547.tif 000010
【手続補正書】
【提出日】平成19年5月2日(2007.5.2)
【手続補正１】
【補正対象書類名】図面
【補正対象項目名】図３
【補正方法】変更
【補正の内容】
【図３】
2008259547.tif 000011